(57)【特許請求の範囲】
【請求項１】
生物学的、化学的有害物又は有毒物質に対する防護機能を有する機能的防護衣料（１）において、
前記機能的防護衣料（１）が、気密性の二次梱包における保管状態において収納されること、
前記機能的防護衣料（１）が、少なくとも一つの可測量を検出し、該機能的防護衣料（１）の耐久性を決定するために備えられた測定機器（２）を備えること、及び
前記測定機器（２）が、保管時間を特徴づける可測値を介して前記機能的防護衣料（１）の保管時間を検出することを特徴とする機能的防護衣料。
【請求項２】
前記測定機器（２）が、温度センサ、圧力センサ、湿度センサ、放射線センサ、粒子センサ、電磁照射線のためのセンサ、ｐＨ感応センサ又は化学的物質に対する感度を有するセンサであるセンサ（３）を具備することを特徴とする請求項１記載の機能的防護衣料。
【請求項３】
前記測定機器（２）が、温度又は圧力が可測値として検出されるように構成されることを特徴とする請求項１又は２記載の機能的防護衣料。
【請求項４】
前記測定機器（２）が、可測量に相関する測定信号の電気的蓄積のための蓄積ユニット（４）を具備し、該蓄積ユニット（４）が前記センサ（３）と電気的に接続されていることを特徴とする請求項１〜３のいずれか１つに記載の機能的防護衣料。
【発明の詳細な説明】
【技術分野】
【０００１】
この発明は、請求項１の前段部分に示されるような機能的衣料品、請求項７の前段部分に示されるような測定機器の使用及び請求項８の前段部分に示されるような機能的衣料品の耐久性を決定する方法に関する。
【背景技術】
【０００２】
人体に接触して皮膚に吸収され、場合によっては重大な肉体的損傷（病毒）を生じる多数の物質がある。例えば、化学的有害物及び有毒物質、特に化学兵器、例えば糜爛性マスタードガス（Ｄｄ、イエロークロス）及び神経ガスサリンである。そのような高い有毒性の物質に接触する状況にある人々は、適当な防護装備を身につける必要があり、また適当な防護材料によって、これら有毒物質に対して防護される必要がある。
【０００３】
適当な防護服は、身体、特に四肢及び胴体を防護するのに適している。頭部、特に顔及び気道通路は、一般的に、フード付き又はなしのＮＢＣ防護マスクを着用することによって防護される。
【０００４】
上述した有毒物質に対する効果的な防護を達成するために、ＮＢＣ防護衣料は、従来完全な非透過性システム（例として、ブチルゴムからなる衣類）又は活性炭（粉末、戦死又は小球カーボン）に基づく透過性吸着フィルタシステムのいずれかによって製造されている。広い範囲の状態下における長期にわたる使用を目的とした化学的毒物に対する防護服は、着用者に対して熱を生じさせてはならない。そのため、空気透過性材料は、主に使用される。空気透過性、浸透性防護服は、一般的に非常に長い間化学的有毒物を結合する活性炭の吸着層を有するので、ひどく汚染された衣服ですら、着用者に対して何ら危険を及ぼさない。このシステムに大きな利点は、活性炭がその内部表面に適用されるので、損傷で又はその他の漏れやすい場所で貫通する毒物が、急速に吸着される。
【０００５】
しかしながら、原則として、そのような防護衣料は、一般的に、制限時間のある有効性又は永続性を有することに不利益点がある。これについての理由は、例えば配備中に、防護衣料が有毒物質又は有害物質によって汚染されるようになることであり、これがいわゆる防護衣類に存在する吸着材料が飽和状態になることである。防護衣料の深刻な汚染又は汚濁の極端な場合、有毒物質又は有害物質から着用者を十分に防護することは、決して完全に確実なものではない。さらに、経年推移は、防護衣料の耐久性に関して大きな部分を占めるものである。例えば、洗濯作業、汚染除去方法だけでなく、防護衣料に関する着用又は配備時間、化学物質の作用等は、その材料の品質に於いて十分な減少を生じ、これによって、着用時間が制限されることになる。
【０００６】
経時推移を解消するために、従来技術における防護衣料は、例えば密封された、言い換えると気密の、特に減圧された二次包装において保管される。
【０００７】
特に防護衣料の着用者が、場合によって少量で高い有毒性があり致命的である化学的有毒物及び／若しくは化学兵器物質のような物質に晒されるという背景に対して、防護衣料による効果的な防護を確保することは、防護衣料の着用者に対する病毒を避けるために極めて重要である。この背景に対して、特に防護衣料が長期間にわたって保管されるかすぐに使用された時に、目的に対する適合性又は防護衣料の耐久性について陳述することはたいへん重要である。
【０００８】
しかしながら、目的に対する適合性又は防護衣料の耐久性についてのそのような決定は、調査される防護材料の時間強調分析及び費用強調分析がこの点について実行される必要があるので、大きな困難性につながっている。これは、大量の防護衣料が、高い有害な状態下において調査され分析される必要性があるので、例えば軍事配備の過程において、その分野に適用される。防護衣料の耐久性を特徴づけるパラメータの迅速且つ有益な決定は、このような状況においてあまり可能ではない。
【０００９】
さらに、二次梱包からの防護衣料の取り出しからの時間、洗濯又は汚染排除作業の回数、着用時間及び汚染程度の関数として防護衣料の耐久性についての情報を得ることに大きな利益がある。しかしながら、これは、従来技術の手段を使用して迅速且つ簡単に行うことはできない。さらに、防護衣料の耐久性は、その保管に関して評価するべきである。耐久性は、防護衣料が、あまりにも暖かく、あまりにも湿った状態で、又は非気密状態の二次梱包において不完全な状態で保管された場合、かなり悪くなる。
【特許文献１】ＤＥ  １０３  ５０  ８６９  Ａ１
【特許文献２】ＤＥ  １０３  ５７  １９３  Ａ１
【特許文献３】ＤＥ  １０３  １１  １８５  Ａ１
【特許文献４】ＤＥ  １０１  ５５  ９３５  Ａ１
【発明の開示】
【発明が解決しようとする課題】
【００１０】
上述した背景に対して、本発明の目的は、上述した従来技術の不利益点を未然に防ぎ又は改善する防護衣料のような機能的衣料品を提供することにある。さらに、耐久性が、逆境条件下においてすら、迅速に且つ簡単に決定又は評価可能な機能的衣料品を提供することにある。
【課題を解決するための手段】
【００１１】
上記目的を達成するために、本願発明は、請求項１に係る生物学的、化学的有毒物又は有害物質に対する防護機能を有する防護衣料である機能的衣料品を提供する。さらに、利益的な例は、各々の従属クレームの要旨である。
【００１２】
さらにまた、本願発明は、少なくとも一つの可測量を入手する測定機器についての請求項７に係る使用を提供する。
【００１３】
最後に本願発明は、機能的衣料品の耐久性を決定するための請求項８に係る方法を提供する。
【００１４】
このように、本願発明の第１の様相は、生物学的、化学的有害物又は有毒物質に対する防護機能を有する特別に装備された機能的衣料品、特に防護衣料である。
【００１５】
本願発明の機能的衣料品の特別な特徴は、前記衣料品が少なくとも一つの測定機器を備えていることである。この測定機器は、少なくとも一つの可測な量、これによって、衣料品の耐久性を決定するために使用される定義された環境因子を測定することが可能なものである。機能的衣料品が、少なくとも一つの可測な量を測定し、衣料品の耐久性が迅速且つ簡単に測定されることに関連した測定機器を備えることは、本願発明の一つに中心的な概念である。特的の測定機器の使用によって、本願発明の機能的衣料品の耐久性について迅速且つ信頼性のある陳述が、即座に、梱包された状態又は二次梱包から衣料品が取り出された後で、又はその使用中においてなされることを可能にする。
【００１６】
測定される可測量に関するいわば既製の測定機器の使用は、特に本発明の範囲内において可能であり、例えば温度、圧力、湿度、放射線、ｐＨ測定量及び／若しくは化学的物質、特に生物学的、化学的有害物又は有毒物質の存在によって生じ及び／若しくは誘導される測定量が可測である。これは、本願発明の主力概念として考察する必要がある。
【００１７】
これによって、本願発明は、本願発明に係る機能的衣料品の耐久性の特定の測定について形成される測定機器を具備する衣料品について利用可能な第１の製造を示すものである。そのような原理は、従来技術において既に公知である。事実、特定の領域が、耐久性の特別な測定を意図していない電気的構成要素を備えているという従来技術がある。
【００１８】
ＤＥ１０３５０８６９Ａ１は、センサ、アクチュエータ、電気的スイッチユニット、記憶要素及びアンテナから選択された一体の電気的構成要素を有する衣類を開示する。しかしながら、この引例に使用されるセンサは、単に、衣類の着用者の姿勢又は動作を測定するためのものであり、この衣類は、主にスポーツ部門にういて使用され、動作の連続を最適化するものである。さらに、ＤＥ１０３５７１９３Ａ１は、トランスポンダー配置が、接着剤に完全に接着される織物の電気ラベルに関するものであり、そのラベルが、織物に関する保管及び発送データについて排他的に設計されることを示すものである。さらにまた、ＤＥ１０３１１１８５Ａ１は、電波によって、非接触的に読み込み可能である織物の識別のためのラベルに関する。前記ラベルは、洗濯の指示のような対応する織物についての情報項目を排他的に蓄積するものである。最後にＤＥ１０１５５９３５Ａ１は、織物裏打ち及び／若しくは可撓性ワイヤーを具備するデータを蓄積する織物に関するスマートラベル、又は少なくとも電気的構成要素についての接触点を具備する糸状の電気的導電体に関するものである。
【発明の効果】
【００１９】
本願発明の機能的衣料品、本願発明の測定機器の使用及び／若しくは本願発明の方法は、一例として下記に述べる大きな利点を有する。
【００２０】
特定の測定機器の使用は、特定の可測量の測定を介して衣料品の耐久性を決定する簡単で、便利で、費用のかからない方法を提供し、衣料品の機能性に関して明白な陳述を行うことが可能となる。
【００２１】
本願発明の測定機器は、外部装置によって簡単に読み出すことができるので、本願発明の機能的衣料品の耐久性の決定が、例えばある地域での軍事配備のような逆境条件下ですら可能となる。
【００２２】
本願発明の機能的衣料品の耐久性の所定の決定は、本願発明の機能的衣料品の着用者に対して高い防護能力を常に確保することを可能にする。
【００２３】
さらに、本願発明の機能的衣料品の耐久性の最適化された決定は、着用又は使用期間の最適化を可能にするので、本願発明の衣料品は、最適に使用され、明確なコストダウンを行うことができる。
【００２４】
特定のセンサを有する測定機器の個々に装着可能な装備は、測定機器を個々の要望に適合させることが可能となるので、特定の可測量を所定の方法で検出することが可能となる。これは、本願発明の機能的衣料品の耐久性に影響を与える環境因子を含む広い領域のファクタを検出することを可能とする。
【発明を実施するための最良の形態】
【００２５】
この発明のさらなる利点、特徴、特質及び／若しくは様相は、添付する図面に基づいた好ましい実施例についての下記する既述から明らかになるであろう。
【実施例】
【００２６】
図１Ａ及び１Ｂは、それぞれ本願発明の機能的衣料品１、特に生物学的、化学的有害物又は有毒物質、例えば生物兵器又は化学兵器に対する防護機能を有する防護衣料を示すものである。図１Ａは、機能的衣料品１が、本願発明によって、この場合特に頭部を保護するためにフードを付加的に備えているジャケットとして構成される例を示している。図１Ｂは、本願発明の機能的衣料品１がズボンとして構成される例を示している。しかしながら、本願発明の機能的衣料品１は、上述した例に限定されるものではない。これに反して、前記機能的衣料品１は、軍事部門と同様に民間部分においても使用されるＮＢＣ防護衣類等のようなある種の防護衣料として構成されるものである。本願発明の衣料品１は、スーツ又はオーバーオールとして、フードとして、手袋として、靴として、ベスト又はアンダーシャツ、パンツ又はブリーフのような下着製品として、ソックス等として構成されることも可能である。
【００２７】
図１Ａ及び１Ｂが示すように、本願発明の衣料品１は、少なくとも一つの可測量を測定する測定機器２を装着し、本願発明の衣料品１の耐久性を測定するために設けられる。
【００２８】
ここで使用される「耐久性」という言葉に関して、同義語的に、目的に関する適合性又は本願発明の範囲内における永続性を示すものであり、特に生物学的、化学的有害物及び／若しくは有毒物質に対する防護機能に関して、本願発明の衣料品１の目的に関する適合性又は使用を示すものとして理解されるものである。一方で、防護衣料は、もしそれが生物学的、化学的有害物又は有毒物質に対する少なくとも本質的に完全な防護を提供するならば、「耐久性がある」と見なされるものである。上述したように、防護衣料の又は本願発明の機能的防護衣料品１の耐久性又は目的についての適合性は、非常に多くの因子によって影響を受ける。これらの因子は、例えば本願発明の衣料品１の保管時間、洗濯又は汚染洗濯作業の回数、着用時間、配備の種類及び期間（例えば、ある分野における軍備配備）、及び二次梱包からの取り出し時間等を含むものである。
【００２９】
本願発明によって使用される測定機器２によって検出される可測量は、本願発明の衣料品１の耐久性に影響を与える可測量である。この可測量は、例えば、物理的又は化学的可測量だけでなく、生化学的又は生物学的可測量である。
【００３０】
前記可測量は、温度、圧力、湿度、放射線、又はｐＨ測定量であることが好ましい。本願発明の好ましい例によれば、可測量は、生物学的、化学的有害物及び／若しくは有毒物質について、化学的物質の存在によって生じ及び／若しくは誘導される可測量である。
【００３１】
前記測定機器２によって検出される可測量は、本願発明の機能的衣料品１に作用し、特に本願発明の機能的衣料品１の耐久性に影響を与えるいわば周囲又は環境因子である。被限定的な例によれば、高い環境温度、湿度及び放射性照射量、たとえばＵＶ放射量は、衣料品１によって提示される防護機能の減少を生じる所定の経時推移を誘導する。例えば、衣料品１は、浸透性となり且つ脆くなる。同様に、化学的因子、例えば洗濯の間の高いアルカリ又は汚染排除の間の酸は、耐久性にかなりの影響を与える。
【００３２】
その上、本願発明の機能的衣料品１の耐久性は、生物学的化学的有害物又は有毒物質のような所定の化学的物質によって特定の段階に十分な影響を受ける。例えば、過度に汚染された防護衣類は、例えば存在する所定の吸着剤又は吸着層の所定の飽和を経験する。
【００３３】
同様に、検出される可測量は、放射性放射、電磁放射又は粒子放射であることが可能である。これは、これらの周囲又は環境因子が、同様に衣料品１の耐久性に影響を与えるからである。
【００３４】
上述した可測量は、質的及び／若しくは量的測定技術によって検出される。本願発明の領域において、可測量は、それらの存続時間、いわゆる可測量が作用する時間の長さ、それらの強度、いわゆる可測量の程度又は強度、及び／若しくはそれらの周波数、いわゆる可測量の発生の間の間隔、又は一定期間内に生じる可測量の周波数に関して検出される。
【００３５】
図２は、本願発明の機能的衣料品１に使用される測定機器２がセンサ３を具備することを示している。
【００３６】
本願発明によれば、「センサ」という言葉は、物理学的、化学的又は電気化学的可測量を検出し、それらを測定信号に変換する構造的要素を意味するものとして理解されるべきである。本願発明によって使用される前記センサ３は、電気的又は電子的構造要素を具備し、可測量は、十分な正確さで、電気的測定信号に変換されることが望ましい。また、前記センサ３は、本願発明によって使用される測定機器２の第１の部材である。
【００３７】
この点において、前記センサ３は、温度センサ、圧力センサ、湿度センサ、放射能又は粒子センサ又はその他の電磁放射線に関するセンサ、ｐＨセンサ及び／若しくは化学的物質、特に生物学的、化学的有害物又は兵器材料に対して特定の感度を有するセンサであることが望ましい。
【００３８】
本願発明のための有効な温度センサは、例えばサーミスタ又はポジスタ温度センサを含むものである。本願発明の範囲内において有効な圧力センサは、気圧センサ、セラミック圧力センサ及びシリコンベースの圧力センサを含むものである。水分含有量依存感度、特に導電率を有する湿度センサを使用することも同様に本願発明の範囲内である。本願発明によれば、放射能センサは、放射線又は粒子センサとして使用される。上述した例に特に限定されるものではなく、当業者は、本願発明の機能的衣料品１の耐久性に影響を与え又は特徴づける可測量を検出するために、適当なセンサを選択することができる。
【００３９】
本願発明によって使用される測定機器２は、さらに、複数のセンサ３を備えることが可能であり、それには、それぞれに異なる特異性を有する上述した種類のセンサ３を使用することが可能である。例によって、適用される限定なしに、２つ、３つ、４つ又はそれ以上のセンサ３、例えば、温度センサ、圧力センサ及び湿度センサを有する測定機器２を装着することも可能である。
【００４０】
本願発明の一つの例によれば、センサ３は、物理的、化学的又は生物学的センサ３であり、この場合、センサ３は、前記可測量の検出の結果として、特に物理学的、化学的又は生物学的反応によって誘導される測定信号を誘導し又は示すものである。前記測定信号は、特に限定されないが、色変化であることが好ましい。この場合、測定信号は、目視検査を介して直接的に評価され又は適当な電子回路を介してデジタル化されることが望ましい。このように、デジタル化された測定信号は、その後、質的なもの又は質的な評価にかけられる。
【００４１】
本願発明のさらなる例によれば、前記センサ３は、電気的センサ、好ましくは電子的センサである。この場合、センサ３は、検出された（上述されたような）可測量を、可測量と相関する電気的測定信号に変換する。この可測量に相関する電気的測定信号は、センサ３から読み込み可能であるので、前記測定信号は、さらなる加工又は評価に適している。言い換えると、このように、センサ３は、可測量を掲出し、適当な電気的測定信号に変換する。例えば、定義された温度としてセンサ３によって検出された可測量は、結果としてこの温度に相関する電圧の形の測定信号として送信される。
【００４２】
本願発明の機能的衣料品１に使用される測定機器２は、図２に示されるように蓄積ユニット４を具備する。この蓄積ユニット４は、可測量に相関し且つ上記センサ３によって送信された測定信号の電気的蓄積を行う。測定信号を記録又は蓄積するために、前記蓄積ユニット４は、センサ３に直接的に又は間接的に接続され、その接続は電気的接続であることが好ましい。
【００４３】
前記蓄積ユニット４は、半導体メモリからなることが好ましい。前記測定信号は、前記蓄積ユニット４に蓄積され、その後評価又は読み込みが行われる。特に、前記蓄積ユニット４は、例えば検出時間のような他の値と結合した多種多様な束的信号を蓄積するので、複数組の値が、測定信号及びこの測定信号へ割り当てられる値から生じる。前記蓄積ユニット４は、蓄積される前後で加工可能な下記するような多種多様な測定信号を蓄積する。本願発明によれば、前記蓄積ユニット４は、例えばＩＣ構成要素の形で、センサ３に又は下記される電子回路５若しくは読み出しユニット６に一体化される。前記蓄積ユニット４は、それ自身の電流の供給を備えるか又は例えば測定機器２の他の構成要素を介してエネルギーを供給されることが好ましい。
【００４４】
図２は、本願発明の機能的衣料品１に使用される測定機器２が、電子回路５をさらに具備することを示している。この電子回路５は、特に検出された可測量と相関する測定信号を加工する。前記電子回路５は、この点において、それが測定センサによって送信可能なアナログ式測定信号を、デジタル式測定信号に変換するように設計されることが好ましい。さらに、前記電子回路５は、データの蓄積を目的として、加工され又は非加工の測定信号を前記蓄積ユニット４に送信する。前記電子回路５が、測定信号を、特に下記に記載されるような読み出しユニット６に直接的に送ることは、本願発明によって同様に可能である。同様に、本願発明の範囲において、前記電子回路５が、センサ３に関する制御機能を励起するように設計されることも可能である。例えば、前記電子回路５が、例えばセンサ３の感度を制御又は調節することも可能であり、生じる可測量に対して所定の適合を可能するものである。前記電子回路５は、可測量に関するアンプとして同様に機能することが好ましい。
【００４５】
本願発明による好ましい例によれば、図２に示される電子回路５は、特に電気的に、特に上述されたような前記センサ３に接続され、特に上述されたような前記蓄積ユニット４に接続される。この例によれば、電子回路５は、蓄積ユニット４に、センサ３によって検出された可測量と相関する測定信号を送信することができる。
【００４６】
しかし、前記電子回路５が、蓄積ユニット４に蓄積され、可測量と相関し、加工又は非加工の測定信号を読み出し、データを加工することを目的として又は測定信号の読み出しを行うために、下記する読み出しユニット６にそれを送信することも可能である。
【００４７】
図２は、さらに本願発明の衣料品１に使用される測定機器２が、さらに、読み出しユニット６を具備することを示している。前記読み出しユニット６は、上記センサ３に及び／若しくは上述された蓄積ユニット４に及び／若しくは上述された電子回路５に、電気的に接続されることができる。前記読み出しユニット６は、いわば読み出し装置を使用して束的信号を読み出すものであり、測定信号は、例えば外部コンピュータによるさらなるデータの加工を行うことができる。この点において、本願発明の衣料品１の耐久性に影響を与え又は特徴づける可測量と相関する測定信号は、本願発明の衣料品１に耐久性に関する陳述に使用されるので、電子的評価がこれに関連して有効であり、表示は、本願発明の衣料品１が実用状態に有るか否かについて、決定された測定信号に基づいて提供される。同様に、前記決定され読み出された測定信号は、等級付けられた耐久性の査定、例えば汚染の程度に関する質的な及び／若しくは量的な陳述を形成するので、本願発明の衣料品１に関して、どれくらいの吸着剤残量又は吸着能力があるかを決定することができる。
【００４８】
前記読み出しユニット６は、発信器として機能することができ、この場合、読み出されるべき測定信号は、外部受信機によって受信され且つさらなる外部データ加工システム又はディスプレイに供給される。
【００４９】
このように、前記読み出しユニット６は、読み込み可能な形式において、可測量に相関する測定信号を提供する。前記測定信号は、蓄積ユニット４から前記読み出しユニット６に、例えば直接的に又は電子回路５を介して送信され、例えばセンサ３から又は蓄積ユニット４から出力されるものである。
【００５０】
本願発明による好ましい例によれば、前記読み出しユニット６は、測定信号の非接触読み出しのためのアンテナを具備することが好ましい。これは、測定信号を例えばワイヤレス受信機によって受信することを可能にし、データ送信の簡単で確実な形式を構築し、例えば軍事配備領域における実施を簡単にする。この場合、データは、ワイヤレス送信によって測定機器から読み出される。
【００５１】
さらに本願発明によれば、本願発明の衣料品１に使用される測定機器２が、測定機器２の一つ又はそれ以上の構成要素、同様にセンサ３，蓄積ユニット４、電子回路５及び読み出しユニット６のエネルギー源を等しく具備することが提供される。そのエネルギー源は、ボタン電池のようなバッテリー、又は充電可能な蓄電池を具備することが好ましい。
【００５２】
本願発明によって使用される測定機器２又はその上述した構成要素は、ハウジング内に収納されることが好ましく、そのハウジングは、硬質ハウジング又は可撓性ハウジングであることが好ましい。それぞれの構成要素は、このハウジングの外側に配されることも可能である。例えば、センサ３は、前記ハウジングの外側に位置することが好ましい。もし、センサ３がハウジング内部に位置した場合、センサ３の検出ユニットは、検出されるべき可測量を具備する媒体への接続を有し、例えばハウジングの適切な位置での実行を介して認識されるべきである。同様に、測定機器２の１つ又は複数の構成要素は、接着剤又は合成樹脂内に埋め込まれることも可能である。
【００５３】
本願発明によれば、前記測定機器２は、公知の無線周波数ＩＤ（ＲＦ−ＩＤ）ユニットを具備することが好ましい。このＲＦ−ＩＤは、ＲＦ−ＩＤラベルの同義語によっても知られているトランスポンダー、タグ又はラジオラベル、及び／若しくはリーダーとしての送受信ユニットを具備する。ＲＦ−ＩＤユニットの原理は、測定信号が最初に蓄積され、電波によって入手されることにある。前記ＲＦ−ＩＤユニットは、センサ３に、特に電気的に接続される。
【００５４】
本願発明による好ましい例によれば、前記衣料品１に使用される測定機器２は、本願発明の衣料品１の洗濯作業の回数を、洗濯作業に特徴づけられる可測量を介して検出するものである。これについて、前記測定機器２は、本願発明の衣料品１の洗濯作業の回数を示すための適切な可測量又は質として、温度及び／若しくは湿度及び／若しくはｐＨが検出されるように構成されることが好ましい。この点において、本願発明の衣料品１の洗濯回数は、測定信号の適切な加工を介して認識することが可能であり、それについて、先述した外部加工又は評価が、例えばコンピュータ又は読み込み機器で実行されるものである。上述した場合について、前記測定機器２は、温度感応及び／若しくは湿度感応及び／若しくはｐＨ感応センサを具備することが好ましい。
【００５５】
本願発明による好ましい例によれば、本願発明の衣料品１に使用される測定機器２は、汚染又は汚濁レベルを特徴付ける可測量を介して本願発明の衣料品１の汚染又は汚濁レベルを検出する。この例によれば、前記測定機器２は、放射線及び／若しくはｐＨ及び／若しくは化学的物質、生物学的、化学的有害物若しくは有毒物質の存在が、可測量又は質として検出可能である。したがって、この例による測定機器２は、放射線感応及び／若しくはｐＨ感応センサ３及び／若しくは化学的、生物学的有害物若しくは有毒物質のような化学的物質に関する特定の感度を有するセンサ３を具備することが好ましい。
【００５６】
本願発明による好ましい例によれば、本願発明の衣料品１に使用される測定機器２は、保管及び／若しくは着用時間を特徴付ける可測値を介して本願発明の機能的衣料品１の保管及び／若しくは着用時間を検出する。前記測定機器２は、この点において、温度及び／若しくは圧力及び／若しくは湿度、特に温度及び／若しくは圧力が、可測量又は質として検出されるように構成されることが好ましい。
【００５７】
上述したように、本願発明の機能的衣料品１は、好ましくは気密、好ましくは減圧された二次梱包での保管状態において収納されることが好ましい。これは、本願発明の機能的衣料品１が、その機能性を早い時期に失うという可能性を未然に防ぎ、それによって本願発明の機能的衣料品１が、高温、高湿度、ＵＶ放射、化学的物質等のような経時推移を誘導する有害な環境影響から防護されるものである。これは、時期尚早の経時推移を防止するので、本願発明の機能的衣料品１は、いわばその保管の間保護される。
【００５８】
これに関連して、本願発明の機能的衣料品１に使用される測定機器２は、梱包又は二次梱包の開放時間又はその損傷状態が測定可能なように構成されるものである。これに関連して、本願発明の測定機器２は、温度及び／若しくは圧力及び／若しくは湿度、特に温度及び／若しくは圧力を、可測量又は質として検出するべきである。この点において、前記測定機器２は、温度感応及び／若しくは圧力感応及び／若しくは湿度感応センサ３、特に温度感応又は圧力感応センサを装着するべきである。
【００５９】
本願発明に衣料品１への測定機器２の位置又は固定に関して、前記測定機器２は、衣料品１の外側表面に、いわゆる本願発明の機能的衣料品１の着用状態において着用者から離れた側に、又は本願発明の機能的衣料品１が検出されるべき可測量と対面する側に装着されるべきであり、これによって測定機器２による可測量の完全な検出を確保することができるものである。前記測定機器２は、本願発明の機能的衣料品１に例えば、限定されない方法によって縫いつけられることが好ましい。同様に、本願発明の機能的衣料品１に前記測定機器２を、タッチ及び／若しくはクローズファスナー又はコネクターによって固定することも可能である。
【００６０】
本願発明の機能的衣料品１は、シート状材料、層構造を有するシート状材料であることが好ましい。前記シート状材料の層構造は、少なくとも一つの織布及び／若しくは吸着性又は吸収層及び／若しくはブロッキング層、特に薄膜を具備することが好ましい。
【００６１】
前記織布は、所望の織物材料、好ましくは空気透過及び／若しくは通気性のある織物材料であることが好ましい。限定されない例として、織布、メリヤス織物、レイド織物、織物複合物、不織布等がある。織布の単位面積重量は、２５〜３００g/m2の範囲内、特に３０〜２００g/m2の範囲内、好ましくは４０〜２００g/m2の範囲内で有ることが好ましい。任意の吸着性又は吸収層は、ＮＢＣ兵器薬剤のような有害物又は有毒物質を吸収することのできる材料を具備することが好ましい。毒物又は有害物を吸収するのに用いられる材料は、特に活性炭、好ましくは活性炭粒子若しくは活性炭繊維の形での活性炭を含む。前記吸収材料は、当業者にとって公知の方法によって、接着剤の織布への連続的若しくは非連続的な塗布によって、織布に固定されることが好ましい。有害物又は有毒物質を吸収する材料は、例えば、粒状（「粒状カーボン」）の形で、又は球状（「球状カーボン」）の形である個々の活性炭粒子からなることが好ましい。この場合、活性炭粒子の平均直径は、１．０mm以下であり、特に０．５mm以下であり、好ましくは０．４mm以下であり、撚り好ましくは０．３mm以下であるが、一般的に少なくとも０．１mmであることが好ましい。この例において、活性炭粒子は、５〜５００g/m2の範囲内の量で、特には１０〜４００g/m2の範囲内の量で、好ましくは２０〜３００g/m2の範囲内の量で、より好ましくは２５〜２５０g/m2の範囲内の量で、更に好ましくは５０〜２２５g/m2の範囲内の量で、最も好ましくは５０〜２００g/m2の範囲内の量で、前記織布に存在するものである。また、有害物又は有毒物質を吸収することのできる材料は、活性炭の繊維、特には活性炭繊維の形の繊維を具備することができる。この活性炭繊維の単位面積重量は、２０〜２００g/m2の範囲内で、特には３０〜１５０g/m2の範囲内で、好ましくは５０〜１２０g/m2の範囲内であることが好ましい。前記活性炭繊維は、特に炭化され活性化されたセルロース又は炭化され活性化されたアクリロニトリルに基づいた活性炭の織布、メリヤス編物、レイドファブリック又は合成織布であることが好ましい。
【００６２】
任意のブロッキング層、特に薄膜は、兵器薬剤又は有毒物質に関して遮断層特性を有するものである。利用可能な薄膜材料は、プラスチック又はポリマー、フッ素化ポリマー、特にポリテトラフルオロエチレン、ポリウレタン、ポリエーテル、ポリエステル、ポリエーテルエステル、ポリアミド、ポリイミド、ポリエチルアミド、ポリエチルイミド、セルロース及び／若しくはセルロース誘導体を含むものである。
【００６３】
本願発明の好ましい例によれば、本願発明は、機能的衣料品１、特に上述したような生物学的、化学的有害物又は有毒物質に対する防護機能を有するＮＢＣ防護服のようなＮＢＣ防護衣料を提供し、この本願発明のこの様相に係る機能的防護衣料品１は、少なくとも一つの圧力及び／若しくは温度感応センサ３で、洗濯作業の回数及び／若しくは着用時間及び／若しくは保管時間及び／若しくは梱包から取り出された後の経過時間及び／若しくは汚染又は汚濁レベルを検出することによって、衣料品１の耐久性を検出するための少なくとも一つのセンサ３を装備し、このセンサ３が衣料品１に一体に取り付けられた測定機器２の一部を構成し、センサ３によって出力され及び／若しくはセンサ３によって検出された可測量に相関する測定信号が、測定機器２によって加工可能、特に検出可能、蓄積可能又は表示可能又は送信可能であることを特徴とするものである。
【００６４】
さらに、本願発明は、本願発明のさらなる様相によれば、上述したような少なくとも一つの可測量を検出する測定機器２の使用、機能的防護衣料品１の耐久性を決定すること、特に防護衣料品が生物学的、化学的有害物又は有毒物質に対する防護機能を有することを提供し、さらに、前記衣料品１が、測定機器２を備え、又は測定機器２が衣料品１に一体に設けられることを提供するものである。
【００６５】
本願発明による使用に関するさらなる詳細は、必要な変更を加えることによって、本願発明の方法に適用される本願発明の衣料品に関連した上記見解を参照することによって理解可能である。
【００６６】
本願発明は、本願発明のさらなる様相にしたがって、生物学的、化学的有害物又は有毒物質に対する防護機能を有する本願発明の機能的衣料品１の耐久性を決定するための方法に関係する。本願発明の方法は、前記衣料品１が、可測量を検出し且つ衣料品１の耐久性を決定するために備えられる少なくとも一つの測定機器２を備え、又は少なくとも一つの可測量を検出し且つ衣料品１の耐久性を決定するために装着された測定機器２が前記衣料品１に一体に設けられること、衣料品１の耐久性に影響し及び／若しくは特徴付ける可測量、特に物理学的及び／若しくは化学的可測量が、前記測定機器２によって検出され及び／若しくは決定されることによって特徴付けられる。
【００６７】
本願発明による方法に関するさらになる詳細については、必要な変更を加えることによって、本願発明の方法に適用される本願発明の衣料品に関連した上記見解を参照することによって理解可能である。
【００６８】
本願発明のさらに改良、変更及び変化は、本願発明の領域から離れることなく明細書を読むことによって当業者にとって明白となり理解可能となるであろう。
【図面の簡単な説明】
【００６９】
【図１Ａ】図１Ａは、測定機器を備えているジャケット状の本願発明の機能的衣料品を概略的に示したものである。
【図１Ｂ】図１Ｂは、測定機器を備えているズボン状の本願発明の機能的衣料品を概略的に示したものである。
【図２】複数の構成要素からなる測定機器の概略構成図を示すものである。
【符号の説明】
【００７０】
１  機能的衣料品
２  測定機器
３  センサ
４  蓄積ユニット
５  電子回路
６  読み出しユニット
【図１Ａ】
0004556189.tif 000002
【図１Ｂ】
0004556189.tif 000003
【図２】
0004556189.tif 000004